(57)【要約】【課題】耐震補強が確保しながらも十分な変形性能を付加することができる耐震補強金物を提供する。【解決手段】柱３と横架材４など建物の躯体の接合部に取り付けられる建築物の耐震補強金物であって、３本の角型鋼管２，２，２が軸線方向を同じくし、角型鋼管２，２，２のそれぞれの断面の対角線が一直線となる態様で、それぞれの角型鋼管２，２，２の互いに接する角部どうしが連接さている。角型鋼管はそれぞれ同断面の鋼管の角部どうしを溶接により連接されているとよい。【選択図】    図１
2009133180.tif 000002
【特許請求の範囲】
【請求項１】
柱と横架材など建物の躯体の接合部に取り付けられる建築物の耐震補強金物であって、少なくとも２以上の角型鋼管が軸線方向を同じくし、前記角型鋼管のそれぞれの断面の対角線が一直線となる態様でそれぞれの角型鋼管の互いに接する角部どうしが連接されていることを特徴とする耐震補強金物。
【請求項２】
前記耐震補強金物の一方の端部を構成する鋼管及びもう一方の端部を構成する鋼管において、前記鋼管の柱や横架材など建物の躯体と接する面には、鋼管を固定するための孔が設けられている請求項１に記載の耐震補強金物。
【請求項３】
柱と横架材など建物の躯体の接合部に取り付けられる建築物の耐震補強金物であって、
入隅部に密着状態に取り付けられる断面視Ｌ型のベースプレートと、
少なくとも２以上の角型鋼管が軸線方向を同じくし、前記角型鋼管のそれぞれの断面の対角線が一直線となる態様でそれぞれの角型鋼管の互いに接する角部どうしが連接されている補強部とからなり、
ベースプレートには建物の躯体に固定するための孔が設けられ、
ベースプレートの２面それぞれに前記補強部の角型鋼管がそれぞれ固定されていることを特徴とする耐震補強金物。
【請求項４】
前記ベースプレートのそれぞれの一辺の長さは前記補強部の長さよりも長い請求項３に記載の耐震補強金物。
【請求項５】
前記角型鋼管がそれぞれ別体の角型鋼管からなり、別体の角型鋼管を溶接により連接した請求項１乃至４に記載の耐震補強金物。
【請求項６】
前記耐震補強金物を構成するそれぞれの角型鋼管が同断面である請求項１乃至５に記載の耐震補強金物。      
【請求項７】
柱と横架材など建物の接合部に取り付けられる建築物の耐震補強金物であって、少なくとも２以上の鋼管が軸線方向を同じくし、前記鋼管の外周どうしを接して並べる態様で、それぞれの鋼管の互いに接する外周どうしが連接さていることを特徴とする耐震補強金物。
【発明の詳細な説明】
【技術分野】
【０００１】
本発明は、建築物の耐震補強金物に関する。
【背景技術】
【０００２】
建物の耐震強度を確保するため柱と横架材などの接合部には、平面視Ｌ型の金物や図９に示すように柱や横架材間に渡す方杖式の金物などが取り付けられていた。
【０００３】
【特許文献１】特開平８−３０２８３４号公報
【特許文献２】特開２００１−６５０６６号公報
【発明の開示】
【発明が解決しようとする課題】
【０００４】
しかし、従来の金物は金物自身の剛性を利用し木造の建築物を補強しているため、金物自身は十分な強度を有しており、柱や梁などの木部特に金物を固定している取付け部近傍に荷重による応力が集中することで、最終的には木部の脆性破壊となってしまう。そのため、必要な耐震強度は確保できるものの、過度の荷重により建物が破壊される場合、木部の破壊により壊滅的な被害が発生する。
【０００５】
本発明は、以上のような問題点に鑑み、耐震性能を確保しながらも十分な変形性能を付加することができる耐震補強金物を提供することを課題とする。
【課題を解決するための手段】
【０００６】
上記の課題は、柱と横架材など建物の躯体の接合部に取り付けられる建築物の耐震補強金物であって、少なくとも２以上の角型鋼管が軸線方向を同じくし、前記角型鋼管のそれぞれの断面の対角線が一直線となる態様でそれぞれの角型鋼管の互いに接する角部どうしが連接さている耐震補強金物により解決される。
【０００７】
この耐震補強金物では、少なくとも２以上の角型鋼管により構成されており、建物に外部より力が加わったとき、それぞれの角型鋼管が断面変形することにより地震エネルギーを効果的に吸収し、柱や梁などを破壊することなく耐震性能を発揮することができる。つまり、角型鋼管からなる耐震補強金物は鋼材としての剛性性能と鋼管として変形性能との組合せにより効果的に地震エネルギーを吸収することができる。
【０００８】
さらに、従来の耐震補強金物と異なり意匠的に優れたものであり、意匠性を付加することが可能となり、実施に向けて消極的である耐震補強工事を意匠性の観点からも積極的に実現することが可能となる。
【０００９】
上記の耐震補強金物において、前記耐震補強金物の一方の端部を構成する鋼管及びもう一方の端部を構成する鋼管において、前記鋼管の柱や横架材など建物の躯体と接する面には、鋼管を固定するための孔が設けられているとよい。
【００１０】
上記の耐震補強金物において、鋼管の柱や横架材など建物の躯体と接する面に設けられた鋼管を固定するための孔を利用することで、本耐震補強金物の柱や横架材などの建物の躯体への固定を容易なものとすることができる。
【００１１】
また上記の課題は、柱と横架材など建物の躯体の接合部に取り付けられる建築物の耐震補強金物であって、
入隅部に密着状態に取り付けられる断面視Ｌ型のベースプレートと、
少なくとも２以上の角型鋼管が軸線方向を同じくし、前記角型鋼管のそれぞれの断面の対角線が一直線となる態様でそれぞれの角型鋼管の互いに接する角部どうしが連接されている補強部とからなり、
ベースプレートには建物の躯体に固定するための孔が設けられ、
ベースプレートの２面のそれぞれに前記補強部の角型鋼管がそれぞれ固定されている耐震補強金物によっても解決される。
【００１２】
この耐震補強金物では、少なくとも２以上の角型鋼管から構成される補強部と建物の躯体の接合部に取り付けられるベースプレートから構成されており、十分な耐震性能が発揮されるとともに、補強部がベースプレート部を介して建物の躯体へ取り付けられるため、この耐震補強金物の施工を効率よく行うことができる。
【００１３】
またこの耐震補強金物において、ベースプレートのそれぞれの一辺の長さは補強部の長さよりも長いとよい。
【００１４】
ベースプレートのそれぞれの一辺の長さを補強部の長さよりも長くすることで、この耐震補強金物を建物躯体に固定するときに補強部をさけて効率よくベースプレート部を建物躯体に固定することができ、施工性を高めることができるとともに、外力を受けたとき建物躯体から補強部への力の伝達を効果的に実現することができる。
【００１５】
また、上記の耐震補強金物において、角型鋼管がそれぞれ別体の角型鋼管からなり、別体の角型鋼管を溶接により連接されて耐震補強金物が構成されているとよい。
【００１６】
耐震補強金物を構成する角型鋼管がそれぞれ別体の角型鋼管から構成されていることで、本耐震補強金物の製作にあたり、既存の角型鋼管を利用して製作することができるため、安価なコストで本耐震補強金物を製作できる。また、構成する角型鋼管の荷重特性が明確なことにより、本耐震補強金物の荷重特性が明確となるため、必要な耐震強度に対して効果的な耐震補強金物を設定することができる。
【００１７】
また、上記の耐震補強金物において、耐震補強金物を構成するそれぞれの角型鋼管が同断面であるとよい。
【００１８】
耐震補強金物を構成するそれぞれの角型鋼管が同断面であることで、本耐震補強金物の製作にあたり、既存の角型鋼管を利用して製作することができ、より一層安価なコストで本耐震補強金物を製作できる。
【００１９】
また本発明の課題は、柱と横架材など建物の接合部に取り付けられる建築物の耐震補強金物であって、少なくとも２以上の鋼管が軸線方向を同じくし、前記鋼管の外周どうしを接して並べる態様でそれぞれの鋼管の互いに接する外周どうしが連接さていることを特徴とする耐震補強金物によっても解決される。
【００２０】
本構成においても、建物に外部より力が加わったとき、それぞれの角型鋼管が変形することにより地震エネルギーを効果的に吸収し、柱や梁などを破壊することなく耐震性能を発揮することができる。つまり、角型鋼管からなる耐震補強金物は鋼材としての剛性性能と鋼管として変形性能との組合せにより効果的に地震エネルギーを吸収することができる。
【００２１】
さらに、従来の耐震補強金物と異なり意匠的に優れたものであり、意匠性を付加することが可能となり、実施に向けて消極的である耐震補強工事を意匠性の観点からも積極的に実現することが可能となる。
【発明の効果】
【００２２】
本発明は以上のとおりであるから、耐震補強において、強度を確保しながらも十分な変形性能を付加することができる耐震補強金物を提供することができる。
【発明を実施するための最良の形態】
【００２３】
次に、本発明の実施最良形態を図面に基づいて説明する。
【００２４】
図１は、第１実施形態の耐震補強金物１を木造の柱と土台間の耐震補強として適用した例である。３は柱、４は土台である。
【００２５】
耐震補強金物１は図２に示すように、同断面の角型鋼管２，２，２からなり、それぞれの角型鋼管の軸線方向を同じ方向とし、それぞれの角型鋼管の断面の対角線が一直線となる態様で、それぞれの角型鋼管の互いに接する角部２ａどうしが連接されている。
【００２６】
そして、耐震補強金物１の一方の端部を構成する角型鋼管であって、建物の躯体と接する面には、鋼管を躯体にビスで固定するためのビスの挿入孔２ｂ・・が複数設けられており、その角型鋼管の建物の躯体と接する面と反対側の面には、前記挿入孔２ｂ・・に対応して、ビスを固定する際、工具を挿入するための孔２ｃ・・が設けられている。
【００２７】
同様にして、耐震補強金物１のもう一方の端部を構成する角型鋼管であって、建物の躯体と接する面およびその面と反対側の面にもビス挿入および施工する際の工具を挿入するための孔２ｂ・・，２ｃ・・がそれぞれ設けられている。
【００２８】
耐震補強金物１は次の手順で製作される。図３（イ）に示すように角型鋼管を建物躯体の取付け側である柱や土台の幅寸法を考慮した同じ寸法に切断する。そして図３（ロ）に示すように、この同じ断面、同じ長さの角型鋼管１，１，１を軸線方向が同じ方向となり、それぞれの角型鋼管１，１，１の断面の対角線が一直線となるようにそれぞれの角型鋼管の互いに接する角部２ａどうしを合わせ、合わせ部分を溶接により固定する。
【００２９】
耐震補強金物１の端部を構成する角型鋼管１，１に設けられる孔２ｂ・・，２ｃ・・はそれぞれの角型鋼管を溶接により接合する前、もしくは接合してから設ければよい。
【００３０】
耐震補強金物１の建物躯体を構成する柱，土台間への取り付けは次のようにして行う。図４に示すように、柱３，土台４間へ耐震補強金物１を設置し、孔２ｃ・・よりビス５を挿入してドライバ６によりビス５を柱３，土台４に固定していく。
【００３１】
耐震補強金物１が取り付けられた建物に地震などにより荷重がかかった場合、図５に示すように角型鋼管１を連接して構成された耐震補強金物１のそれぞれの角型鋼管１，１，１がその鋼管の形状特性により変形し、柱や梁などを破壊することなく耐震性能を発揮することができる。つまり、角型鋼管からなる耐震補強金物は鋼材としての剛性性能と鋼管として変形性能との組合せにより効果的に地震エネルギーを吸収することができる。
【００３２】
さらに、従来の耐震補強金物と異なり意匠的に優れたものであり、意匠性を付加することが可能となり、例えば壁面に取り付ける内装材の一部を開口もしくは透明の材料を採用することで、躯体内部に取り付けられた耐震補強金物１を室側などから視認することができ、その意匠性を積極的に利用することができる。さらには、鋼管部を壁の空隙部として利用し収納棚や飾り棚として利用することもできる。そして、実施に向けて消極的である耐震補強工事を意匠性の観点からも積極的に実現することが可能となる。
【００３３】
図６に本発明の第２実施形態を示す。第２実施形態の耐震補強金物７において、８はベースプレート、９は角型鋼管２・・を一体化して構成した補強部である。ベースプレート８は断面視Ｌ型のプレートからなりその幅寸法は図７に示すように建物の躯体である柱や梁の幅寸法とほぼ同じ寸法となっている。ベースプレートの各面の長さ寸法は、補強部である連接した角型鋼管２・・の長さ寸法、つまり角型鋼管を方杖として建物躯体に取り付けたときのその躯体に投影される寸法よりも長くなっている。
【００３４】
また、ベースプレート部の各面には建物躯体に耐震補強金物７を建物の躯体である柱や梁に固定するための孔１０が空いている。図７に示すように、この孔１０を利用して固定ボルト１１などにより耐震補強金物７は建物躯体に固定される。
【００３５】
角型鋼管２・・どうしは第１実施形態と同様にそれぞれの角部2ａどうしが溶接等により連接され補強部９を構成するとともに、一体化された角型鋼管２・・はベースプレート８とも溶接等により一体化され耐震補強金物７を構成している。角型鋼管２の幅寸法はベースプレート８の幅寸法よりも短く設定され、ベースプレート８の幅方向中心部に位置するように固定されている。そしてベースプレート８の補強部９を固定した脇の部分には固定ボルト１１などを通す孔１０が所定間隔をあけて設けられている。
【００３６】
この耐震補強金物では、少なくとも２以上の角型鋼管から構成される補強部と建物の躯体の入隅部に取り付けられるベースプレートから構成されており、十分な耐震性能が発揮されるとともに、補強部がベースプレート部を介して建物の躯体へ取り付けられるため、この耐震補強金物の施工を効率よく行うことができる。
【００３７】
また、ベースプレートの一辺の長さを補強部の長さよりも大きくすることで、この耐震補強金物を建物躯体に固定するときに補強部をさけて効率よくベースプレート部を建物躯体に固定することができ、施工性を高めることができるとともに、外力を受けたとき建物躯体から補強部への力の伝達を効果的になされる。
【００３８】
図８に耐震補強金物の他の実施例を示す。（イ）は、耐震補強金物が４体の角型鋼管で構成されている例である。（ロ）は、耐震補強金物がそれぞれことなる形状断面の角型鋼管で構成されている例である。（ハ）は、耐震補強金物が丸型鋼管で構成されている例である。（ニ）は、耐震補強金物が三角形と角型の鋼管で構成されている例である。
【００３９】
以上に、本発明の実施形態を示したが、本発明はこれに限られるものではなく、発明思想を逸脱しない範囲で各種の変更が可能である。例えば、上記の実施形態では、耐震補強金物を別体の角型鋼管を溶接により接合して構成する場合について述べたが、溶接以外の方法で接合されていてもよい。また、鋳型成形などにより、当初より一体のものとして製作されてもよい。要は耐震補強金物として要求される強度を満たす態様で製作されればよい。
【００４０】
また、上記実施形態では、耐震補強金物を構成する各角型鋼管の長さが同じ場合について示したが、各角型鋼管の長さについても耐震補強金物に求められる強度や意匠性との兼ね合いで自由に選択することができる。
【００４１】
また、耐震補強金物のバリエーションとして、耐震補強金物が４体の角型鋼管で構成されている例、耐震補強金物がそれぞれことなる形状断面の角型鋼管で構成されている例、耐震補強金物が丸型鋼管で構成されている例、（耐震補強金物が三角形と角型の鋼管で構成される場合について示したが、さらにこれら複数の組合せで構成されていてもよいことはいうまでもない。
【００４２】
また、実施例として本補強金物を木造軸組構造に適用した場合について示したが、鉄骨軸組構造に適用してもよい。さらに、耐震補強金物を施工後の物件に追加で取り付けるだけでなく、新築物件において建設当初から耐震補強のために取り付けておいてよいことはいうまでもない。
【図面の簡単な説明】
【００４３】
【図１】（イ）は、本発明の耐震補強金物を柱、土台間に取り付けた例を示す側面図である。（ロ）は、同正面図である。
【図２】耐震補強金物を示す斜視図である。
【図３】耐震補強金物の製作過程を示す側面図であって、図（イ）は接合前の角型鋼管、図（ロ）は接合後の角型鋼管を示す側面図である。
【図４】耐震補強金物を建物躯体に取り付ける状況を示す側面図である。
【図５】耐震補強金物を取り付けた建物躯体に荷重がかかった場合の耐震補強金物の状態を示す側面図である。
【図６】本発明の第２実施形態を示す図であって、（イ）は側面図、（ロ）は正面図、（ハ）は平面図である。
【図７】本発明の第２実施形態を示す図であって、建物躯体に取り付けた状態を示す斜視図である。
【図８】本発明の他の実施例を示す図であって、（イ）は、耐震補強金物が４体の角型鋼管で構成されている実施例を示す側面図、（ロ）は、耐震補強金物がそれぞれことなる形状断面の角型鋼管で構成されている実施例を示す側面図、（ハ）は、耐震補強金物が丸型鋼管で構成されている実施例を示す側面図、（ニ）は、耐震補強金物が三角形と角型の鋼管で構成されている実施例を示す側面図、である。
【図９】従来の耐震補強金物を示す図であって、（イ）は、取り付け状態を示す側面図、（ロ）は、荷重がかかった場合の躯体側の破壊状況を示す側面図である。
【符号の説明】
【００４４】
１・・・耐震補強金物（第１実施形態）
２・・・角型鋼管
２ａ・・・角型鋼管の角部
２ｂ・・・孔（ビスを挿入するための）
２ｃ・・・孔（工具を挿入するための）
３・・・柱
４・・・土台
５・・・耐震補強金物（第２実施形態）
６・・・ベースプレート
７・・・補強部
８・・・ベースプレート
９・・・補強部
１１・・・ボルト
【図１】
2009133180.tif 000003
【図２】
2009133180.tif 000004
【図３】
2009133180.tif 000005
【図４】
2009133180.tif 000006
【図５】
2009133180.tif 000007
【図６】
2009133180.tif 000008
【図７】
2009133180.tif 000009
【図８】
2009133180.tif 000010
【図９】
2009133180.tif 000011